(57)【要約】【課題】加熱部のみを搭載した温水機に簡易な構成により水の供給ができるようにした飲料抽出装置を提供することを目的とする。【解決手段】一端が給水源に接続され他端から水が給水される分岐継手８を設ける。分岐継手８の他端に給水管路１１を接続する。給水管路１１を通じて給水された水を貯留する湯タンク１２を設ける。湯タンク１２内の貯留された水を加熱するヒータ１６を設ける。ヒータ１６の加熱により沸き上げられた湯を給湯電磁弁１８を介して飲料原料混合部１９に給湯する給湯管１７を設ける。分岐継手８に分岐し給水電磁弁２３を介して給水源の水を直接抽出する給水管２２を設ける。【選択図】          図２
2004305524.tif 000002
【特許請求の範囲】
【請求項１】
一端が給水源に接続され他端から水が給水される分岐継手と、この分岐継手の他端に接続される給水管路と、この給水管路を通じて給水された水を貯留する湯タンクと、この湯タンク内の貯留された水を加熱するヒータと、このヒータの加熱により沸き上げられた湯を給湯電磁弁を介して飲料原料混合部に給湯する給湯管とを備えた飲料抽出装置において、前記分岐継手に分岐して接続され前記給水源の水を給水電磁弁を介して直接抽出する給水管を設けたことを特徴とする飲料抽出装置。
【発明の詳細な説明】
【０００１】
本発明は、湯タンク内の沸き上げられた湯を給茶用の湯として抽出するものにおいて、水道水を直接抽出する抽出機能を備えた飲料抽出装置に関する。
【０００２】
【従来技術】
従来、給茶機等の飲料抽出装置は、湯を供給する加熱部と冷水を供給する冷却部とを搭載した冷温水機（例えば、特許文献１参照）と、加熱部のみの温水機と（例えば、特許文献２参照）に分かれる。そして、前者の冷温水機は熱いお茶とお湯、および冷たい水の抽出が可能であり、後者の温水機のみのものは、熱いお茶とお湯しか抽出できない。
【０００３】
【特許文献１】
特許第３２３４８６４号公報（第８頁、図１）
【特許文献２】
特許第３１２３８７９号公報（第４頁、図３）
【０００４】
【発明が解決しようとする課題】
しかし、加熱部のみ搭載した温水機は、熱いお茶とお湯しか抽出できないため、抽出された熱いお茶を熱いと感じる使用者には温度を下げたい時に必要な水がその場で確保できないとともに、水のみ単独で抽出できない問題がある。
【０００５】
本発明は、このような点に鑑みなされたもので、加熱部のみを搭載した温水機に水道水を直接供給する抽出機能を備えることにより、簡易な構成により水の供給ができるようにした飲料抽出装置を提供することを目的とする。
【０００６】
【課題を解決するための手段】
請求項１記載の飲料抽出装置は、一端が給水源に接続され他端から水が給水される分岐継手と、この分岐継手の他端に接続される給水管路と、この給水管路を通じて給水された水を貯留する湯タンクと、この湯タンク内の貯留された水を加熱するヒータと、このヒータの加熱により沸き上げられた湯を給湯電磁弁を介して飲料原料混合部に給湯する給湯管とを備えた飲料抽出装置において、前記分岐継手に分岐して接続され前記給水源の水を給水電磁弁を介して直接抽出する給水管を設けたものである。
【０００７】
そして、この構成により熱いお茶の温度を下げたい場合、その場で水を供給してお茶の温度を下げることができるとともに、水単独の使用が可能となる。
【０００８】
【発明の実施の形態】
以下、本発明の一実施の形態を図面を参照して説明する。
【０００９】
【実施例】
図１に、置台１に載置された飲料抽出装置２の外観斜視図を示す。
【００１０】
飲料抽出装置２は、前面にカップステーション３、また、このカップステーション３の上方に茶抽出釦４、湯抽出釦５、水抽出釦６などが設けられている。
【００１１】
図２に、温水抽出機能を有する飲料抽出装置２の構成図を示す。
【００１２】
飲料抽出装置２の裏面側には、一端側が水源となる水道に直結され給水流量を調節するオリフィス７を有した分岐継手８が設けられている。この分岐継手８の他端側には逆止弁９と給水電磁１０とを有した給水管路１１が設けられている。
【００１３】
１２は飲料抽出装置２内に設けられた湯タンクで、この湯タンク１２は、底部に給水管路１１が接続されこの給水管路１１を通じて水道水が貯留されるようになっている。また、湯タンク１２の上方には開口部を閉塞する蓋１３が取り付けられている。そして、この蓋１３には水位検知手段１４が取り付けられ、この水位検知手段１４の作用により給水電磁１０が制御され湯タンク１２の上限水位が一定水位に保たれるようになっている。また、湯タンク１２の上限水位より上方にオーバーフロー管１５が設けられ何らかの原因により湯タンク１２内に上限水位を越えて水道水が給水された場合、湯タンク１３外に排水されるようになっている。
【００１４】
また、湯タンク１２内下部にはヒータ１６が設けられ湯タンク１２内に貯留された水道水を加熱して沸き上げ熱いお湯とし貯留される。さらに、湯タンク１２には、２本の給湯管が設けられ、一方の給湯管１７は茶電磁弁１８を有し、茶抽出釦４を押すことにより茶電磁弁１８が開放され給湯管１７の下方に設けられた飲料原料混合部としての茶漉し器１９内の茶葉に湯を注いで熱いお茶を抽出するようになっている。また、他方の給湯管２０は湯電磁弁２１を有し、湯抽出釦５を押すことにより湯電磁弁２０が開放され直接熱い湯をカップなどに抽出するようになっている。また、湯タンク１２の下部には排水コック２４が介在された排水管２５が接続されている。
【００１５】
次に、本実施の形態の作用を説明する。
【００１６】
まず、給水電磁弁１０が開かれ湯タンク１２内に水道水が給水管路１１を通じて供給され水位検知手段１４の作用により上限水位に保持される。そして、湯タンク１２内に貯留された水はヒータ１６の通電により熱いお湯に沸き上げられる。
【００１７】
次に、熱いお茶を抽出する場合の作用について説明する。
【００１８】
カップステーション３に図示しないカップが載置され、次に茶漉し器１９内に茶葉がセットされる。そして、茶抽出釦４が押されると茶電磁弁１８が開かれ給湯管１７を通じて茶漉し器１９内の茶葉に熱いお湯が注がれ熱いお茶がカップ内に抽出される。
【００１９】
次に、熱いお茶の温度を下げたい場合の作用について説明する。
【００２０】
水抽出釦６が押されると給水電磁弁２２が開かれ給水管２２を通じてカップ内に水道水が適量供給され、お茶の湯温が適温に下げられる。従って、冷却装置を有した冷温水機のように大掛かりな装置を必要とせずにその場でお茶の湯温が適温に下げることができる。
【００２１】
次に、熱いお湯を抽出する場合の作用について説明する。
【００２２】
湯抽出釦５が押されると湯電磁弁２１が開かれ給湯管２０を通じてお湯がカップ内に抽出される。
【００２３】
次に、水を抽出する場合の作用について説明する
【００２４】
水抽出釦６が押されると給水電磁弁２２が開かれ給水管２２を通じてカップ内に水道水がカップ内に抽出される。
【００２５】
次に、図３に飲料原料混合部の他の実施例について説明する。
【００２６】
本実施例と同一部分は同一符号を付し詳細な説明は省略する。
【００２７】
飲料原料混合部１９はミキシングボール２６と、飲料用粉末原料を収納したキャニスター２７から構成され、このキャニスター２７内から繰り出される飲料用粉末原料と給湯管１７を通じて抽出されるお湯とをミキシングボール２６内で混合し熱いお茶として抽出される。
【００２８】
従って、飲料原料混合部は、茶葉を用いるものに限らず飲料用粉末原料を用いるものにも適用され、同様な効果を奏するものである。
【００２９】
【発明の効果】
請求項１記載の飲料抽出装置によれば、熱いお茶の温度を下げたい場合、冷却装置のように大掛かりな装置を不要とし、その場で水を供給してお茶の温度を下げることができるとともに、水単独の使用が可能となる。
【図面の簡単な説明】
【図１】本発明の一実施形態を示す飲料抽出装置の外観斜視図である。
【図２】同上、飲料抽出装置の構成図である。
【図３】本発明の他の実施例の形態を示す、飲料抽出装置の構成図である。
【符号の説明】
１    置台本体
２    飲料抽出装置
３    カップステーション
４    茶抽出釦湯抽出釦５、
５    湯抽出釦
６    水抽出釦
８    分岐継手
１０    給水電磁弁
１１    給水管路
１２    湯タンク
１６    ヒータ
１７    給湯管
１８    茶電磁弁
１９    飲料原料混合部
２０    給湯管
２１    湯電磁弁
２２    給水管
２４    給水電磁弁
【図１】
2004305524.tif 000003
【図２】
2004305524.tif 000004
【図３】
2004305524.tif 000005